(57)【特許請求の範囲】
【請求項１】
ヒスチジン銀錯体と、クエン酸及びその塩からなる群から選択される１種類以上とを、銀１モルに対してヒスチジンを１モル以上、ヒスチジン銀錯体を０．０００５質量％〜２０質量％、及びクエン酸及びその塩からなる群から選択される１種類以上を０．０１質量％以上含有し、ｐＨが６．５〜８．５であることを特徴とする液状塗料組成物。
【請求項２】
（ａ）銀化合物、（ｂ）ヒスチジン、及び（ｃ）クエン酸及びその塩からなる群から選択される１種類以上を、銀１モルに対してヒスチジンを１モル以上、
ヒスチジン銀錯体を０．０００５質量％〜２０質量％、及びクエン酸及びその塩からなる群から選択される１種類以上を０．０１質量％以上含有し、さらにｐＨを６．５〜８．５になるように混合することを特徴とする、ヒスチジン銀錯体を液状塗料組成物中で安定化する方法。
【請求項３】
（ｉ）ヒスチジン銀錯体、及び、（ｉｉ）クエン酸及びその塩からなる群から選択される１種類以上を、銀１モルに対してヒスチジンを１モル以上、ヒスチジン銀錯体を０．０００５質量％〜２０質量％、及びクエン酸及びその塩からなる群から選択される１種類以上を０．０１質量％以上含有し、さらにｐＨを６．５〜８．５になるように混合することを特徴とする、ヒスチジン銀錯体を液状塗料組成物中で安定化する方法。
【発明の詳細な説明】
【技術分野】
【０００１】
本発明は、長期間安定なヒスチジン銀錯体を含有する液状組成物に関し、特に工業用殺菌剤として用いられる、長期的に安定なヒスチジン銀錯体を含有する液状組成物に関する。本発明の液状組成物は塗料用組成物として好適である。
【背景技術】
【０００２】
従来から、澱粉糊、にかわ、塗工紙、紙用塗工液、塗料、接着剤、補修剤、合成ゴムラテックス、印刷インキ、有機素材フィルム、プラスチック製品、洗剤、セメント混和剤などの各種工業製品や、製紙パルプ工場、冷却水循環工程などの種々の工業用水には、それに含まれる有機質を栄養源として有害な微生物が繁殖し、製品の汚損、着色など品質の低下、悪臭の発生が問題となっている。そこで、工業製品や工業用水の有害微生物繁殖防除や殺菌のため、様々な種類の防腐剤や殺菌剤が開発されている。特にそのような殺菌剤の中でも、イソチアゾリン系殺菌剤は、コストパフォーマンスに優れるため、幅広く使用されている。しかし、イソチアゾリン系殺菌剤は、きわめて強い皮膚刺激性を有すという性質があるため使用に当たっては、細心の注意が必要となる。【０００３】
そこで、安全性が高くイソチアゾリン系殺菌剤と同等の活性を有す殺菌剤の一つとして、イミダゾール類と貴金属系殺菌成分である銀イオンとの錯体が知られていた（特許文献１〜４参照）。
しかし、イミダゾール類と銀イオンの錯体は、水に難溶である、光に対して不安定であるなどの問題点を有していた。これらの問題を解決すべく、水溶性かつ安定な錯体を研究する中で、２−ピロリドン−５−カルボン酸又はヒスチジンが銀イオンと配位してなる銀錯体が見出された（特許文献５参照）。【０００４】
しかし、このヒスチジン銀錯体も、粉体の状態では、常温で熱・光に安定であり、その粉体は水溶性を有するが、水に溶かした状態では、長期間安定に存在できず、水溶液中に銀が析出する、激しい変色を引き起こすという問題点が残った。また、ヒスチジン銀錯体そのものの変色は、添加対象物の変色も引き起こし、適用可能な対象物が極めて限定されたものにならざるを得なかった。この問題の対策として、ヒスチジン銀錯体の反応比率を銀：ヒスチジン＝１：３以上にすることで変色の起こりにくい錯体形成が可能であることが提案されている（特許文献６）。しかし、高価なアミノ酸であるヒスチジンを大量に使用するため、他の殺菌剤と比較すると製造コスト的に不利であった。【０００５】
【特許文献１】国際公開ＷＯ９５／７９１３号公報
【特許文献２】特開２００１−３３５４０５号公報
【特許文献３】特表２００３−５２１４７２号公報
【特許文献４】特開２００５−１４５９２３号公報
【特許文献５】特開２０００−２５６３６５号公報
【特許文献６】特開２００７−１７６９８５号公報
【発明の開示】
【発明が解決しようとする課題】
【０００６】
本発明は、上記事情に鑑みてなされたものであり、変色や沈殿を発生させず、殺菌活性を長期間維持できるヒスチジン銀錯体を含有する液状組成物を提供することである。
【課題を解決するための手段】
【０００７】
発明者らは、上記課題を解決すべく鋭意検討した結果、有効成分であるヒスチジン銀錯体の水溶液に、ヒドロキシカルボン酸、多価カルボン酸及びそれらの塩からなる群から選択される１種類以上、好ましくは、グルクロン酸、クエン酸及びそれらの塩からなる群から選択される１種類以上を含有させることにより上記課題を解決しうることを見出し、本発明を完成させるに至った。【０００８】
すなわち本発明は、
［１］ヒスチジン銀錯体と、ヒドロキシカルボン酸、多価カルボン酸及びそれらの塩からなる群から選択される１種類以上とを含有することを特徴とする液状組成物や、
［２］ヒドロキシカルボン酸、多価カルボン酸及びそれらの塩からなる群から選択される１種類以上が、グルクロン酸、クエン酸及びそれらの塩からなる群から選択される１種類以上である、［１］の液状組成物、さらに、
［３］［１］又は［２］の液状組成物を含有することを特徴とする殺菌剤組成物に関する。【０００９】
また、本発明は、
［４］液状組成物が塗料組成物であることを特徴とする、［１］又は［２］の液状組成物や、
［５］殺菌剤組成物が殺菌性塗料組成物であることを特徴とする、［３］の殺菌剤組成物に関する。【００１０】
さらに、本発明は、
［６］（ａ）銀化合物、（ｂ）ヒスチジン、及び（ｃ）ヒドロキシカルボン酸、多価カルボン酸及びそれらの塩からなる群から選択される１種類以上を混合することを特徴とする、ヒスチジン銀錯体を液状組成物中で安定化する方法、
［７］（ｉ）ヒスチジン銀錯体、及び、（ｉｉ）ヒドロキシカルボン酸、多価カルボン酸及びそれらの塩からなる群から選択される１種類以上を混合することを特徴とする、ヒスチジン銀錯体を液状組成物中で安定化する方法、
［８］ヒドロキシカルボン酸、多価カルボン酸及びそれらの塩からなる群から選択される１種類以上が、グルクロン酸、クエン酸及びそれらの塩からなる群から選択される１種類以上である、［６］又は［７］の、ヒスチジン銀錯体を液状組成物中で安定化する方法、
［９］液状組成物が塗料組成物であることを特徴とする、［６］〜［８］の、ヒスチジン銀錯体を液状組成物中で安定化する方法に関する。【００１１】
ヒスチジンが銀イオンに配位してなるヒスチジン銀錯体に、本発明のカルボン酸類を添加することによってヒスチジン銀錯体が溶液中で安定化される、その原理は必ずしも明確ではないが、発明者らは、本発明のカルボン酸類が水溶液でヒスチジン銀錯体の安定化あるいは不活化に寄与している為と推定している。
【発明を実施するための形態】
【００１２】
（液状組成物）
本発明の液状組成物は、ヒスチジンが銀イオンに配位してなるヒスチジン銀錯体と、カルボン酸類とを含有することを特徴とする。
ヒスチジンにはＬ−、Ｄ−の光学異性体が存在するが、１種単独で用いてもよいし、２種の混合物であってもよい。より好ましくは、Ｌ−ヒスチジンである。
【００１３】
銀イオンの供給源となる銀化合物としては特に制限されないが、酸化数１の銀化合物が好ましく、例えば硝酸銀、酸化銀、塩化銀が挙げられる。ヒスチジンとの錯体の形成には、酸化銀が好ましい。銀イオンの供給源である化合物は１種単独で用いてもよいし、２種以上を併用することもできる。
【００１４】
配位子がヒスチジンである場合、銀に対するヒスチジン含有量の比率は、銀１モルに対してヒスチジン１モル以上が好ましく、より好ましくは、銀１モルに対してヒスチジン１．４モル以上、更に好ましくは銀１モルに対してヒスチジン２モル以上である。
液状組成物中のヒスチジン銀錯体の含量は、０．０００５質量％〜２０質量％、より好ましくは０．０５質量％〜１０質量％、さらに好ましくは０．２５質量％〜５質量％である。
【００１５】
本発明で用いられるカルボン酸類としては、ヒドロキシカルボン酸、多価カルボン酸及びそれらの塩からなる群から選択される１種類以上である。
本発明に用いるヒドロキシカルボン酸としては、脂肪族ヒドロキシカルボン酸、ウロン酸や芳香族ヒドロキシカルボン酸が挙げられる。脂肪族ヒドロキシカルボン酸としては、グリコール酸、乳酸、タルトロン酸、グリセリン酸、リンゴ酸、酒石酸、シトラマル酸、クエン酸、イソクエン酸、ロイシン酸、メバロン酸、パントイン酸、リシノール酸、リシネライジン酸、セレブロン酸、キナ酸、シキミ酸等が挙げられ、ウロン酸としては、グルクロン酸、ガラクツウロン酸及びマンヌロン酸が挙げられ、芳香族ヒドロキシカルボン酸としては、サリチル酸、クレオソート酸、バニリン酸、ピロカテク酸、レソルシル酸、没食子酸、マンデル酸等が挙げられる。
多価カルボン酸としては、シュウ酸、マロン酸、コハク酸、フマル酸、マレイン酸、グルタル酸、アジピン酸等が挙げられる。好ましくは、２又は３価のカルボン酸である。
なお、本発明において、ヒドロキシ基を有する多価カルボン酸はヒドロキシカルボン酸に分類することとする。
【００１６】
また、これらの塩も用いることができ、例えば、リチウム塩、ナトリウム塩、カリウム塩、マグネシウム塩、カルシウム塩、アンモニウム塩等が挙げられる。具体的には、ヒドロキシカルボン酸の塩として、グリコール酸ナトリウム、乳酸リチウム、乳酸カルシウム、クエン酸３ナトリウム、酒石酸カリウム、酒石酸カリウムナトリウム等が挙げられる。多価カルボン酸の塩としては、シュウ酸ナトリウム、シュウ酸カリウム、シュウ酸アンモニウム、コハク酸ナトリウム、コハク酸リチウム、フマル酸カリウム、マレイン酸ナトリウム、アジピン酸カルシウム、アジピン酸マグネシウム、アジピン酸カリウム等が挙げられる。
これらのうち、好ましくはグルクロン酸、クエン酸及びこれらの塩を挙げることができ、クエン酸の塩としては、クエン酸リチウム、クエン酸ナトリウム、クエン酸カリウム、クエン酸マグネシウム、クエン酸カルシウム、クエン酸アンモニウム等が挙げられる。
【００１７】
本発明の液状組成物は、これらのカルボン酸及び塩の１種類のみを含有していてもよいし、２種以上を含有していてもよい。
液状組成物中、カルボン酸類の含有量は、用いるカルボン酸の種類によっても異なるが、０．０１質量％以上添加することが好ましく、より好ましくは０．１質量％以上である。
また本発明の液状組成物のｐＨは特に限定されるものではないが、組成物の安定性及び安全性の点で５以上が好ましく、さらに好ましくは６．５以上８．５以下である。
【００１８】
また本発明の液状組成物中には、ヒスチジン以外の複数種のアミノ酸及び／又はそれらの塩や、ヒドロキシカルボン酸、多価カルボン酸以外の複数種のカルボン酸及び／又はそれらの塩が共存しても何ら問題はない。さらに、本発明の液状組成物には発明の効果を損なわない範囲で、他の成分を任意の割合で配合することが出来る。
【００１９】
他の成分とは、例えば、界面活性剤、溶剤、増粘剤、酸化防止剤、光安定剤、ｐＨ調整剤、香料、消泡剤等である。
界面活性剤としては、具体的には、アルキルトリメチルアンモニウム塩、ジアルキルジメチルアンモニウム塩、アルキルベンジルジメチルアンモニウム塩、アルキルピリジニウム塩、ポリヘキサメチレンビグアニド等のカチオン性界面活性剤；アルキルベンゼンスルホン酸塩、アルキル硫酸塩、アルキルナフタレンスルホン酸塩、ジアルキルスルホコハク酸塩、ポリオキシエチレンアルキルエーテル硫酸塩、ポリオキシエチレンアルキルエーテルカルボン酸塩、ポリオキシエチレンスチレン化フェニルエーテルサルフェートアンモニウム塩、リグニンスルホン酸塩、高級脂肪酸塩、α−オレフィン脂肪酸塩、α−スルホ脂肪酸塩等のアニオン性界面活性剤；アルキルメチルアミンオキシド、アルキルカルボキシベタイン、アルキルスルホベタイン等の両性界面活性剤が挙げられる。
【００２０】
溶剤としては、具体的には、エタノール、イソプロパノール等の低級アルコール；エチレングリコール、プロピレングリコール、ジプロピレングリコール、ポリプロピレングリコール、グリセリン等のグリコール系溶剤；アセトン、メチルエチルケトン、プロピレンカーボネート等のケトン系溶剤；ジメチルホルムアミド、ジメチルスルホキシド、アセトニトリル、Ｎ−メチルピロリドン等の極性溶剤が挙げられる。
【００２１】
増粘剤としては、具体的にはカルボキシメチルセルロース、キサンタンガム等が挙げられ、酸化防止剤としては、具体的には、２，６−ジ−ｔ−ブチル−４−メチルフェノール、２，２’−メチレンビス［４−メチル−６−ｔ−ブチルフェノール］、アルキルジフェニルアミン等、光安定剤としては、具体的には、ビス（２，２，６，６−テトラメチル−４−セバケート）等、ｐＨ調整剤としては、硫酸、硝酸、水酸化ナトリウム、水酸化カリウム、アンモニア、リン酸塩等が挙げられる。その他、香料；消泡剤等が挙げられる。
【００２２】
（塗料組成物）
本発明の液状組成物は塗料組成物として好適である。
塗料組成物は、前記の液状組成物を他の塗料組成物に配合することにより得られ、他の塗料組成物としては、水性樹脂を含有する塗料組成物、有機溶媒分散性樹脂を含有する塗料組成物、及び、ワックスを含有する塗料組成物が挙げられる。塗料組成物としては、従来からある塗料組成物であっても、従来の方法により得られる塗料組成物であっても、特に制限はなく用いることができる。
【００２３】
水性樹脂は、塗膜の耐久性、耐水性、基材に対する接着強度、耐熱性、耐ブロッキング性、柔軟性等の向上のために加えられるものであり、水に溶解、又は乳化分散可能な樹脂である。その具体例としては、ゴム状高分子および樹脂状高分子に大別することができ、ゴム状高分子としては例えば天然ゴム、エチレン−プロピレン−ジエンゴム（ＥＰＤＭ）、スチレン−ブタジエンゴム（ＳＢＲ）、クロロプレンゴム（ＣＲ）、アクリロニトリル−ブタジエンゴム（ＮＢＲ）等、樹脂状高分子としては、例えば松脂のような天然樹脂、ポリエチレン、スチレン−ブタジエン系樹脂、ビニル系樹脂（例えばポリ酢酸ビニル、エチレン−酢酸ビニル共重合体、ポリ塩化ビニル）、ポリビニルブチラール、ポリスチレン、スチレン−ブタジエン系樹脂、ウレタン系樹脂、シリコン系樹脂、アクリル樹脂等を、挙げることができる。
【００２４】
（殺菌剤組成物）
本発明の液状組成物、及び塗料組成物は、ヒスチジン銀錯体の銀イオンの効果により、有害微生物繁殖防除や殺菌用途に、殺菌剤組成物、及び殺菌性塗料組成物として使用できる。
なお、本明細書において、「殺菌剤」とは、細菌、カビ、藻類等の微生物を死滅させる機能を有する剤のみではなく、これらの微生物を取り除く或いは混入を抑制する（抗菌）機能、及び、増殖を抑制する（静菌）等の機能を有する剤をも含有する。
本発明の殺菌剤組成物は、広範な抗菌抗カビスペクトルを有し、素材の品質に影響を及ぼさず、かつその効果が長期間にわたり持続するものであり、しかも急性経口毒性、皮膚刺激性、粘膜刺激性等が低いことから種々の素材に適用することができる。
【００２５】
本発明の殺菌剤組成物を使用できる素材としては、例えば、繊維、衛生加工品、医療用成形加工品、食品、青果物、種子、農作物、家畜、クリーンフィルム、包装材料、殺菌性材料、塗料、エマルション樹脂、切削油等の金属加工油、合板、木材、カゼイン、でんぷん糊、にかわ、塗工紙、紙用塗工液、表面サイズ剤、接着剤、合成ゴムラテックス、印刷インキ、ポリビニルアルコールフィルム、塩化ビニルフィルム、プラスチック製品、セメント混和剤、シーリング剤、目地剤の他、製紙パルプ工場や冷却水循環工程で使用される各種産業用水等にも効果がある。
【００２６】
また、本発明の殺菌剤組成物は、その目的及び用途によって、公知の殺菌防カビ剤、防腐剤、防藻剤等の他の活性成分と併用することが出来る。
他の活性成分としては、ジデシルジメチルアンモニウムクロライド（ＤＤＡＣ）、ジデシルジメチルアンモニウムアジペート（ＤＤＡＡ）等の第４級アンモニウム塩系化合物、ポリヘキサメチレンビグアニド（ＰＨＭＢ）、グルコン酸クロルへキシジン等のビグアナイド系化合物、セチルピリジニウムクロライド、ドデシルピリジニウムクロライド等のピリジニウム系化合物、１，２−ベンズイソチアゾリン−３−オン、５−クロロ−２−メチル−４−イソチアゾリン−３−オン、２−メチル−４−イソチアゾリン−３−オン、２−ｎ−オクチル−４−イソチアゾリン−３−オン、Ｎ−ｎ−ブチル−１，２−ベンズイソチアゾリン−３−オン等のイソチアゾリン系化合物、３−ヨード−２−プロピニル−ブチルカーバメート等の有機ヨウ素系化合物、２，３，５，６−テトラクロロ−４−（メチルスルホニル）ピリジン等のピリジン系化合物、ジンクピリチオン、ナトリウムピリチオン等のピリチオン系化合物、２−（４−チオシアノメチルチオ）ベンゾチアゾール等のベンゾチアゾール系化合物、メチル−２−ベンズイミダゾールカーバメート、２−（４−チアゾリル）−ベンズイミダゾール等のイミダゾール系化合物、テトラメチルチウラムジスルフィド等のチオカーバメート系化合物、２，４，５，６−テトラクロロイソフタロニトリル等のニトリル系化合物、Ｎ−（フルオロジクロロメチルチオ）−フタルイミド及びＮ−（フルオロジクロロメチルチオ）−Ｎ，Ｎ’−ジメチル−Ｎ−フェニル−スルファミド等のハロアルキルチオ系化合物、α−ｔ−ブチル−α（ｐ−クロロフェニルエチル）−１Ｈ−１，２，４−トリアゾール−１−エタノール（慣用名テブコナゾール）等のトリアゾール系化合物、３−（３，４−ジクロロフェニル）−１，１−ジメチルウレア（慣用名ＤＣＭＵ）等のフェニルウレア系化合物、２−メチルチオ−４−ｔ−ブチルアミノ−６−シクロプロピルアミノ−Ｓ−トリアジン等のトリアジン系化合物等が挙げられる。
これらの活性成分は、単独で用いても、２種以上混合して使用しても良い。またこれらの配合割合は、用途に応じて任意に決定することが出来る。
【００２７】
本発明の殺菌剤組成物は、目的及び用途に応じて、粉剤、粒剤、ペースト剤、マイクロカプセル剤等に製剤して使用することも出来る。このとき、クレー、タルク、シリカ、アルミナ、モンモリロナイト等に吸着させて製剤することも可能である。
【００２８】
（液状組成物の製造方法）
本発明の液状組成物は、簡潔には、例えば、銀イオン源となる水溶性銀化合物である硝酸銀や難溶性銀化合物である酸化銀等の銀化合物と、ヒスチジンと、カルボン酸類と、水を混合し、水溶媒中でヒスチジン銀錯体を調製して製造することができる。原料は前記のとおりである。
他の方法として、粉末状のヒスチジン銀錯体と、上記のカルボン酸と、水とを混合して得ることができる。粉末状のヒスチジン銀錯体は、例えば特許文献５記載の方法によって製造することができる。
【００２９】
本発明の液状組成物に使用する水は、水道水、精製水（イオン交換水）、蒸留水等を使う事が出来るが、安定性や経済性の面から精製水（イオン交換水）が好ましい。
【００３０】
本発明の液状組成物の製造は、公知の条件及び装置を用いることができる。
例えば、粉末状のヒスチジン銀錯体、カルボン酸類、及び水を混合して本発明の液状組成物を得る場合、これら３成分を、攪拌装置を有する装置に投入し、１０〜３０℃で１０〜１２０分攪拌することで製造できる。攪拌装置としては公知の装置を使用でき、必要に応じて、攪拌後に濾過を行うこともできる。
他の方法として、銀化合物、ヒスチジン、カルボン酸類、及び水を混合して本発明の液状組成物を得る場合、これらの４成分を、攪拌装置を有する装置に投入し、１５〜３０℃で１０〜１２０分攪拌することで製造できる。攪拌装置としては、例えばマグネチックスターラーや、攪拌翼攪拌機（例えば、スリーワンモータ（商品名）、新東科学株式会社製）等の公知の装置を使用でき、必要に応じて、攪拌後に濾過を行うこともできる。
【００３１】
（塗料組成物の製造方法）
本発明の塗料組成物は、上記液状組成物の製造方法と同様にして製造でき、簡潔には、例えば、銀イオン源となる水溶性銀化合物である硝酸銀や難溶性銀化合物である酸化銀等の銀化合物と、ヒスチジンと、カルボン酸類と、水を混合し、水溶媒中でヒスチジン銀錯体を調製し、さらに、ヒスチジン銀錯体の溶液と塗料を混合して製造することができる。
また、塗料と、銀イオン源となる水溶性銀化合物である硝酸銀や難溶性銀化合物である酸化銀等の銀化合物と、ヒスチジンと、カルボン酸類及び必要に応じて水を混合して製造することもできる。
他の方法として、粉末状のヒスチジン銀錯体と、上記のカルボン酸、塗料及び必要に応じて水を混合し、製造することができる。粉末状のヒスチジン銀錯体は、例えば特許文献２記載の方法によって製造することができる。
【００３２】
塗料組成物の製造に使用する水は、液状組成物の製造と同様のものが挙げられる。
条件・装置も液状組成物の製造と同様のものが挙げられるほか、また、塗料、粉末状のヒスチジン銀錯体、カルボン酸類及び必要に応じて水を、攪拌装置を有する装置に投入し、１５〜３０℃で１０〜１２０分攪拌混合することで製造できる。攪拌装置としては公知の装置を使用でき、必要に応じて、攪拌後に濾過を行うこともできる。
【実施例】
【００３３】
次に、実施例及び比較例により本発明を具体的に説明するが、本発明は下記実施例等に限定されるものではない。【００３４】
＜使用した試薬＞
酸化銀：試薬特級  和光純薬（株）製
Ｌ−ヒスチジン：試薬特級  和光純薬（株）製
Ｌ−アルギニン：試薬特級  和光純薬（株）製
クエン酸３ナトリウム：試薬特級  和光純薬（株）製
ニュートリエントブロス：普通ブイヨン‘栄研’栄研化学（株）製【００３５】
［実施例１］
酸化銀１．０７４ｇ、Ｌ−ヒスチジン２．８８ｇ、クエン酸３ナトリウム０．２ｇと水９５．８４６ｇを適切な容器中に入れ、室温で３０分以上攪拌し、ヒスチジン銀錯体２．４４重量％、本発明のカルボン酸類０．２重量％を含有する水溶液を得た。【００３６】
［実施例２］
酸化銀１．０７４ｇ、Ｌ−ヒスチジン２．８８ｇ、クエン酸３ナトリウム０．４ｇと水９５．６４６ｇを適切な容器中に入れ、室温で３０分以上攪拌し、ヒスチジン銀錯体２．４４重量％、本発明のカルボン酸類０．４重量％を含有する水溶液を得た。【００３７】
［実施例３］
酸化銀１．０７４ｇ、Ｌ−ヒスチジン２．８８ｇ、クエン酸３ナトリウム０．２ｇ、Ｌ−アルギニン０．２ｇと水９５．６４６ｇを適切な容器中に入れ、室温で３０分以上攪拌し、ヒスチジン銀錯体２．４４重量％、本発明のカルボン酸類０．４重量％を含有する水溶液を得た。【００３８】
［比較例１］
酸化銀１．０７４ｇ、Ｌ−ヒスチジン２．８８ｇと水９６．０４６ｇを適切な容器中に入れ、室温で３０分以上攪拌し、ヒスチジン銀錯体２．４４重量％を含有する水溶液を得た。
実施例１〜３、比較例１で得られた組成物の組成を表１に示す。【００３９】
【表１】
0005435475.tif 000002
【００４０】
＜外観均一性評価方法＞
実施例１〜３、比較例１で得られた組成物を５０ｍｌ容量のガラス製スクリューバイアル瓶に入れ、密封し、蛍光灯照射下（４０００Ｌｕｘ）、２５℃に一日放置した後の、外観を目視評価した。評価基準は、以下の通りである。
○ ：均一透明
△ ：均一微濁または変色
× ：沈殿またはガラス器壁への付着物あり
実施例１〜３、比較例１で得られた組成物の評価結果を表２に示す。【００４１】
【表２】
0005435475.tif 000003
【００４２】
＜細菌に対する活性評価方法＞
活性は最小発育阻止濃度（Minimum Inhibitory Concentration、ＭＩＣ）で示した。具体的な測定方法は以下の通りである。ニュートリエントブロス（ＮＢ）液体培地１０ｍｌを入れたφ１８ｍｍ、長さ１５０ｍｍの試験管にＰｓｅｕｄｏｍｏｎａｓ  ａｅｒｕｇｉｎｏｓａを１白金耳接種し、１２０ｒｐｍ、３０℃で２４時間前培養した。この培養液の１００倍希釈液０．５ｍｌを、ＮＢ培地９ｍｌを入れたφ１８ｍｍ、長さ１５０ｍｍの試験管に加えさらに設定濃度に調製した試験液０．５ｍｌを加えた。この試験液を、３０℃で４８時間培養し培養液の肉眼観察と寒天含有培地への接種を行い増殖の有無を確認した。評価は、培養液の肉眼観察と培地への接種を行い判定した。
実施例１〜３、比較例１で得られた組成物の活性評価結果を表３に示す。【００４３】
【表３】
0005435475.tif 000004
【００４４】
＜高温安定性評価方法＞
実施例１〜３、比較例１で得られた組成物を５０ｍｌ容量のガラス製スクリューバイアル瓶に入れ、密封し、遮光下、２５℃（室温）、４０℃にそれぞれ３０日放置し、外観の目視評価および色調（ガードナーナンバー）を調査した。評価基準は、以下の通りである。
外観の目視評価
○：均一澄明
△：均一微濁
×：沈殿発生あるいは混濁
試験の評価結果を、表４−１及び表４−２に示す。【００４５】
【表４】
0005435475.tif 000005
【００４６】
＜塗料防腐試験方法＞
塗料は、外壁用を想定し「塗料配合便覧  青山  豊編  高分子刊行会（１９８６）」の外部用エマルションペイント白の配合処方を参考に作製した。作製した塗料に、実施例２、比較例１で得られた組成物を所定の濃度になるよう添加混合した。いずれの組成物も添加しないものを、ブランクとした。
これに供試菌を接種し、３１±１℃の恒温器内で培養した。１週間後、および７週間後に試料を採取し、普通寒天培地で培養して試料中の菌数の確認、及び供試菌懸濁液の接種をした。菌数測定は寒天平板希釈法で行った。試験に使用した菌株はＢａｃｉｌｌｕｓ  Ｓｕｂｔｉｌｉｓ、Ｅｎｔｅｒｏｂａｃｔｅｒ  ａｅｒｏｇｅｎｅｓ、Ｅｓｃｈｅｒｉｃｈｉａ  ｃｏｌｉ、Ｐｓｅｕｄｏｍｏｎａｓ  ａｅｒｕｇｉｎｏｓａ、Ｐｓｅｕｄｏｍｏｎａｓ  ｆｌｕｏｒｅｓｃｅｎｓ、Ｐｒｏｔｅｕｓ  ｍｉｒａｂｉｌｉｓ、Ｐｒｏｔｅｕｓ  ｖｕｌｇａｒｉｓ、Ｓｔａｐｈｙｌｏｃｏｃｃｕｓ  ａｕｒｅｕｓの８菌種である。
塗料の組成を表５、防腐試験結果を表６−１及び表６−２に示す。【００４７】
【表５】
0005435475.tif 000006
【００４８】
【表６】
0005435475.tif 000007
0005435475.tif 000008
【００４９】
＜塗料抗菌試験方法＞
抗菌性の試験は、ＪＩＳ Ｚ ２８０１法に従った。
（実施例４）
実施例１の銀ヒスチジン錯体水溶液を塗料に対して重量比１％添加してなる塗料組成物を得た。
（比較例２）
１，２−ベンズイソチアゾリン−３−オン（慣用名ＢＩＴ）１ｇを蒸留水１リットルに分散させ２４時間常温放置し、上澄み液をメンブレンフィルター（開孔サイズ０．４５μｍ）にてろ過して得られたＢＩＴ水溶液を、ＢＩＴ飽和溶液とみなして使用し、これを塗料に対して重量比１０％添加してなる塗料組成物を得た。
（比較例３）
ＢＩＴの溶剤溶解型製剤の製品である「ベストサイド−ＦＸ」(日本曹達株式会社製)を用いてこれを塗料に対して重量比０．２％添加してなる塗料組成物を得た。
（ブランク）
薬剤無添加の塗料を用いた。【００５０】
塗膜は次の方法で調製した。
１０ｃｍ角に裁断した厚手ろ紙（型番２６、ＡＤＶＡＮＴＥＣ社製）をアルミ箔で包みオートクレーブ滅菌後、上記塗料を裁断ろ紙の表裏に各１．０ｇずつ塗布し、常温乾燥２４時間後、５０×５０ｍｍに裁断した。前処理として各ろ紙塗膜を約５０ｍｌの湯水（４０℃）に浸漬し３日間処理後、抗菌性の試験に供した。抗菌性の試験は、ＪＩＳ
Ｚ ２８０１法に従った。
結果を表７に示す。【００５１】
【表７】
0005435475.tif 000009
【産業上の利用可能性】
【００５２】
本発明によれば、極めて強い抗菌性を維持しつつ、長期間安定で変色や凝集沈殿を起こさない、銀ヒスチジン錯体を含有する液状組成物を提供できる。本発明の液状組成物は塗料組成物として好適である。